(57)【要約】【課題】    貯槽の側板壁面に直接取付ける受け部材、つまりブラケットを固着して使用する安全性を向上し、新たな法規制にも適応した貯槽用足場部材を提供するものである。【解決手段】    側板３の壁面に直接固着して取り付けるブラケット構造の足場５であって、該足場５の足場板８の両側面のブラケット６上に取付受具１１、１１を固定し、この側板方向の取付受具１１に側板壁面方向の隙間を覆う構造の傾斜幅木１２Ａを取付け、反対側の取付受具１１に貯槽中心方向の隙間を遮蔽する構造の垂直幅木１２Ｂを取付けた貯槽用足場部材とする。【選択図】  図１
2011052374.tif 000002
【特許請求の範囲】
【請求項１】
側板の壁面に直接固着して取り付けるブラケット構造の足場であって、該足場の足場板両側面のブラケット上に取付受具を固定し、この側板方向の取付受具に側板壁面方向の隙間を覆う構造の傾斜幅木を取付け、反対側の取付受具に貯槽中心方向の隙間を遮蔽する構造の垂直幅木を取付けたことを特徴とする貯槽用足場部材。
【請求項２】
上記取付受具は、並立するパイプ受部材と、このパイプ受部材を連結する連結部材と、この連結部材を上記ブラケットの水平ロッドに固定する固定部材とで形成し、上記足場板両側の幅木の端部突起を上記取付受具のパイプ受部材に差し込んで固定するように形成したことを特徴とする請求項１記載の貯槽用足場部材。
【請求項３】
上記傾斜幅木は、複数の帯板を円管部材に取付け、該円管部材を棒状ロッドに挿通して形成したことを特徴とする請求項１又は２記載の貯槽用足場部材。
【請求項４】
上記垂直幅木は、複数の帯板で形成し、該帯板の端縁近傍を伸縮連結構造に形成したことを特徴とする請求項１乃至３記載の貯槽用足場部材。
【発明の詳細な説明】
【技術分野】
【０００１】
この発明は貯槽の新規建設、補修工事などに使用する安全性を向上したブラケット構造の貯槽用足場部材に関するものである。
【背景技術】
【０００２】
貯槽の新規建設、補修などの工事を施工する際に、側板の近傍に仮設の作業足場を設置している。この仮設の作業足場は、一般にはパイプ材や板材などを用いて組立てる枠組足場が使用されているが、貯槽の内部や外部の一部には側板の壁面に直接取り付ける受け部材、つまりブラケットを用いた作業用足場を仮設し使用している。
【０００３】
図９は、円筒直立の貯槽１の側板３の壁面に直接取付けるブラケット構造の足場５の事例である。
原油その他の揮発性・可燃性液体を貯蔵する大型の貯槽１は、円形平板の底板２と、円筒体形状の側板３と、屋根４とから形成されている。
この貯槽１を建設、補修などの工事を施工する場合に、側板３の内壁面側にブラケット構造の足場５を直接取付けている。
６は棚受け状のブラケット、７はブラケット６を側板３に取付けるために側板３へ溶着して固定する取付部材である。側板３に沿って水平方向に隔離して固定したブラケット６、６・・・の上部に、足場板８を載置して固定している。９はブラケット６の上端部に垂直に立設する手摺支柱で、１０は支柱９、９の上端近傍に掛け渡す水平の手摺本体である。
【０００４】
貯槽１の側板３の壁面に直接取付ける従来のブラケット構造の足場５は、図１０及び図１１に示すように、足場５上の足場板８の両側面は開放されているため、側板３との間に隙間Ａ、手摺本体１０の下部に隙間Ｂを生じている。
【０００５】
殊に上記隙間Ａは、貯槽側板の内壁面が曲面になっているため、ブラケット６、６間の側板３と足場板８との間は水平面が円弧と弦で形成される形状に中央が広くなっている。
【０００６】
上記足場板８の両側面の隙間Ａ、Ｂから物体を落下させたり、作業員が足を踏み外したりする恐れがあった。
【０００７】
作業者が踏み板の両側面から足を踏み外すことがなく装着を簡単に行うことができるようにした特開２００４−１７６３１０号「建築足場用幅木」の発明は、所定間隔をおいて配置された支柱間に長尺の幅木を係合したものである。
【０００８】
また、従来の特開２００７−２４７２６１号「足場板用幅木の取付装置」の発明は、枠組足場の足場板の桁側端部に沿った断面略Ｌ字状の幅木を、取付金具を用いて建枠の縦材に取り付けるものである。
【０００９】
さらに、従来の特開２００８−１６９５５７号「足場用幅木」の発明は、複数の支柱間に設けた足場板の側縁に簡単にかつ強力に取り付けるようにした墜落防止と物品の落下防止のための足場用幅木である。
【先行技術文献】
【特許文献】
【００１０】
【特許文献１】特開２００４−１７６３１０号公報
【特許文献２】特開２００７−２４７２６１号公報
【特許文献３】特開２００８−１６９５５７号公報
【発明の概要】
【発明が解決しようとする課題】
【００１１】
図９乃至図１１に示すように、  円筒直立の側板３の内部の壁面にネコピースと称されている取付部材７を溶接で固着し、この取付部材７にブラケット６を上方から引っ掛けて固定している。このブラケット６は、側面水平の水平ロッド６ａと側面垂直の垂直ロッド６ｂと側面傾斜した傾斜ロッド６ｃとで側面略三角形状に形成されている。このブラケット６を水平方向に沿って複数隔離して側板３に取付け、各隣接するブラケット６、６の水平ロッド６ａ、６ａの上に掛け渡して足場板８を設置する。
このように、側板３に直接取付ける従来のブラケット構造の足場５は、貯槽側板の内壁面が曲面になっているため、ブラケット６間の足場板８の両側面において、側板３方向の隙間Ａは水平面が円弧と弦で形成される形状に中央が広くなり、さらに貯槽中心方向の手摺本体１０下部の隙間Ｂは開放されている。
この足場板８の両側面の隙間Ａ、Ｂから物体を落下させたり、作業員が足を踏み外したりする恐れがあった。そこで、足場板８の両側面に安全確保のための幅木を設ける必要があった。
【００１２】
殊に、労働安全衛生規則が改正され（２００９年６月１日施行）現場で使用する足場の構造に新たな規制が加わり、物体の落下防止措置としてブラケット構造の足場について、足場の両サイド（側板壁面側及びスタンション側）に幅木等が必要となった。
【００１３】
従来の特開２００４−１７６３１０号「建築足場用幅木」の発明は、足を踏み外しを防止し簡単に装着できる幅木であって、所定間隔をおいて配置された支柱間に幅木を係合する構造であるが、ブラケット構造の足場には取付けが困難であった。
【００１４】
また、従来の特開２００７−２４７２６１号「足場板用幅木の取付装置」の発明は、足場板の桁側端部に沿った断面略Ｌ字状の幅木を建枠の縦材に取付金具を介して取付けるものであるが、建枠のないブラケット構造の足場には縦材とロックピンと取付金具などの部材を取付けることができなかった。
【００１５】
さらに、従来の特開２００８−１６９５５７号「足場用幅木」は、部材が複雑で組枠支柱と足場板の側縁には取付けられるが、ブラケット構造の足場に取付けるには適していなかった。
【００１６】
上記特許文献１乃至３のような枠組足場の幅木は、貯槽の側板の壁面に直接取付けるブラケット構造の足場には設置が困難で、さらに側板壁面との間に生じる水平面が円弧と弦で形成される形状の隙間を覆うこともできなかった。
【００１７】
この発明の目的は、上述のような従来技術の足場が有する問題点に鑑みてなされたもので、貯槽の側板壁面に直接取付ける受け部材、つまりブラケットを固着して使用する安全性を向上し、新たな法規制にも適応した貯槽用足場部材を提供するものである。
【課題を解決するための手段】
【００１８】
請求項１記載の貯槽用足場部材は、側板の壁面に直接固着して取り付けるブラケット構造の足場であって、該足場の足場板両側面のブラケット上に取付受具を固定し、この側板方向の取付受具に側板壁面方向の隙間を覆う構造の傾斜幅木を取付け、反対側の取付受具に貯槽中心方向の隙間を遮蔽する構造の垂直幅木を取付けたものである。
【００１９】
請求項２記載の貯槽用足場部材は、上記取付受具を、並立するパイプ受部材と、このパイプ受部材を連結する連結部材と、この連結部材を上記ブラケットの水平ロッドに固定する固定部材とで形成し、上記足場板両側の幅木の端部突起を上記取付受具のパイプ受部材に差し込んで固定するように形成したものである。
【００２０】
請求項３記載の貯槽用足場部材は、上記傾斜幅木を複数の帯板を円管部材に取付け、該円管部材を棒状ロッドに挿通して形成したものである。
【００２１】
請求項４記載の貯槽用足場部材は、上記垂直幅木を複数の帯板で形成し、該帯板の端縁接続部近傍を伸縮連結構造に形成したものである。
【発明の効果】
【００２２】
請求項１記載の貯槽用足場部材は、側板の壁面に直接固着して取り付けるブラケット構造の足場であって、該足場の足場板両側面のブラケット上に取付受具を固着し、この側板方向の取付受具に側板壁面方向の隙間を覆う構造の傾斜幅木を取付け、反対側の取付受具に貯槽中心方向の隙間を遮蔽する構造の垂直幅木を取付けたので、上記両側の隙間から物体の落下の心配がなく作業員の足の踏み外しの恐れもなくなるため、安全で能率良く足場上での作業をすることができる。
【００２３】
請求項２記載の貯槽用足場部材は、上記取付受具を、並立するパイプ受部材と、このパイプ受部材を連結する連結部材と、この連結部材を上記ブラケットの水平ロッドに固定する固定部材とで形成し、上記足場板両側の幅木の端部突起を上記取付受具のパイプ受部材に差し込んで固定するように形成したので、簡単な取付受具の構成部材により着脱自在で作業性良く設置し、足場部材の機能性、安全性を向上することができる。
【００２４】
請求項３記載の貯槽用足場部材は、上記傾斜幅木を複数の帯板を円管部材に取付け、該円管部材を棒状ロッドに挿通して形成したので、着脱の取扱いが繁雑となることがなく、側板と足場間の距離が一定でない円弧状の間隔を適正に覆って作業の安全性を向上することができる。
【００２５】
請求項４記載の貯槽用足場部材は、上記垂直幅木を複数の帯板で形成し、該帯板の端縁接続部近傍を伸縮連結構造に形成したので、ブラケット間に寸法調整して簡単に設置することができる。
【図面の簡単な説明】
【００２６】
【図１】この発明に係る貯槽用足場部材を、ブラケット構造の足場に設置した状況を示す側面説明図である。
【図２】図１の一部を省略した斜視説明図である。
【図３】この発明に係る貯槽用足場部材のうち取付受具の構造状況を示す側面説明図（ア）、平面説明図（イ）である。
【図４】側板壁面方向の足場上に設ける傾斜幅木１２Ａを示す平面説明図である。
【図５】図４の傾斜幅木１２Ａを側板壁面方向に取付けた状況を示す平面説明図である。
【図６】図５の一部を示す斜視説明図である。
【図７】貯槽中心方向の足場上に設ける垂直幅木１２Ｂを示す側面説明図である。
【図８】垂直幅木１２Ｂの他の事例を示す斜視説明図である。
【図９】従来例のブラケット構造の足場を円筒直立の貯槽側板の内壁面に設けた状況を示す側面説明図である。
【図１０】図９のブラケット構造の足場を拡大して示す側面説明図である。
【図１１】図１０の平面説明図である。
【発明を実施するための形態】
【００２７】
この発明に係る貯槽用足場部材の実施形態を、図１乃至図８に基づいて説明する。
この実施形態例は、図９に例示した円筒直立の貯槽の側板壁面に直接設置するブラケット構造の足場５の改善事例を示すもので、図１乃至図６にわたって同一の用語には同一の符号を使用し、各符号の説明は一部省略している。
なお、図示事例では貯槽１の内側に設ける足場５について説明するが、貯槽１の外壁面に設けるブラケット構造の足場にも適用することができることは言うまでもない。この外壁面に設けるブラケット構造の足場の場合には、ブラケット固着部近傍に広い隙間を生じることとなるが同様に適用可能である。
【００２８】
図１は、この発明に係る貯槽用足場部材をブラケット構造の足場５に固定した状況を示す側面説明図、図２はその一部を省略して示す斜視説明図である。
側板３の壁面に溶接によって直接固着したネコピースと称される取付部材７に、ブラケット６の先端を引っ掛けて固定する。このブラケット６は、側面水平の水平ロッド６ａと側面垂直の垂直ロッド６ｂと側面傾斜した傾斜ロッド６ｃとで側面略三角形状に形成されている。このブラケット６を複数個水平方向に沿って隔離して側板３に固定し、隣接する水平ロッド６ａ、６ａの上に足場板８を掛け渡して設置する。
この足場５の側板壁面方向には隙間Ａが生じ、貯槽中心方向には隙間Ｂが生じている。
貯槽用足場部材は、足場板８の両側面のブラケット６上に、アダプターとなる取付受具１１、１１を設置し、この取付受具１１、１１の上部に、傾斜幅木１２Ａ、垂直幅木１２Ｂをそれぞれ取付けて形成する。この傾斜幅木１２Ａによって隙間Ａを塞ぎ、垂直幅木１２Ｂによって隙間Ｂを遮るように形成する。
【００２９】
このように、足場板８の両側面のブラケット６上に取付受具１１、１１を設置し、この取付受具１１、１１の上部に、傾斜幅木１２Ａ、垂直幅木１２Ｂを取り付けることにより、上記隙間Ａを塞ぎ、隙間Ｂを遮るため、部材が転がって落下することがなく、作業員が足を踏み外す恐れもなく、安全で作業性良く工事を行うことができる。
【００３０】
図３は、図１及び図２に示すこの発明に係る貯槽用足場部材のうち取付受具１１の状況を示す側面説明図（ア）平面説明図（イ）である。
傾斜幅木１２Ａ、垂直幅木１２Ｂを取り付けるアダプターとなる取付受具１１は、取付受具１１単体当り２個の垂直なパイプ受部材１１ａ，１１ｂを並立させ、このパイプ受部材１１ａ，１１ｂを断面Ｌ字形状アングル材などの連結部材１３で連結して形成する。この取付受具１１を、ブラケット６の水平ロッド６ａに、Ｕボルトとナットなどの固定部材１４を用いて固定する。
【００３１】
このように、パイプ受部材１１ａ，１１ｂを有する取付受具１１をブラケット６の水平ロッド６ａに固定部材１４を用いて固定し、上記足場板８の両側に設ける各幅木１２の下端部突起をパイプ受部材１１ａ，１１ｂの受口に差込み固定するように形成したので、着脱自在で作業性良く並列させて設置し、足場部材の機能性、安全性を向上することができる。
【００３２】
図４〜図６は、側板壁面方向に設ける傾斜幅木１２Ａを示す説明図である。図４は傾斜幅木１２Ａを示す平面説明図、図５は傾斜幅木１２Ａを側板壁面方向に取付けた状況を示す平面説明図、図６は傾斜幅木１２Ａの設置状況を示す斜視説明図である。
１５は棒状ロッドで、この棒状ロッド１５の水平両端部は、例えばアダプターなどの接続部材を設け着脱自在で長さ調整可能な接続構造にして垂直下方に延出させる。１６は円管部材で、この円管部材１６に間隔Ａの中央部最大幅より大きい寸法の矩形板状の覆板１７を設け、この覆板１７の先端近傍は紐材１８などを用いて複数枚を連結するように形成する。矩形板状の覆板１７は、図４に示すように幅と長さを一定とするか、或いは図示しないが間隔Ａに対応して長さを複数種変えた覆板とし、薄いアルミニウム合金や鋼製などの合板で形成する。
傾斜幅木１２Ａは、上記覆板１７を設けた円管部材１６を棒状ロッド１５に複数個挿通させて形成し、水平の棒状ロッド１５から垂直下方に延出させた両端部を、前記図３の取付受具１１のパイプ受部材１１ａ，１１ｂに差込んで取付ける。
この棒状ロッド１５は、必要に応じて長さ調整できるように複数本連結するか、或いはパイプジョイント部材などを用いてスライド式の伸縮構造に形成してもよい。また、覆板１７を設けた円管部材１６も、棒状ロッド１５の長さに対応して順次複数個挿通するように形成する。
このように、上記傾斜幅木１２Ａを構成する上記各部材は、着脱自在で長さ調整して作業性良く取付け取外しできる構造となる。
【００３３】
図４に示す矩形板状の傾斜幅木１２Ａを側板壁面方向に取付けると、図５に示すように平面上方から見て間隔Ａが埋まる。つまり、図６の斜視図に示すように側板３の壁面に、覆板１７,１７・・・が徐々に傾斜をなだらかにして段差状に立て掛けられ、水平面が円弧と弦で形成される形状の間隔Ａの上部を覆う。この場合、傾斜幅木１２Ａは、側板壁面の曲率に応じて３枚以上の複数枚、枚数が多い場合は櫛状の覆板１７,１７・・・となる。この複数枚の覆板１７,１７・・・間の段差部、側板壁面との隙間から物体が落下することがないよう、３０ミリメートル以上の間隔を生じないよう適正に設置する。
【００３４】
このように、傾斜幅木１２Ａは複数枚に分割された覆板１７,１７・・・で形成し、側板壁面と足場板８の間隔Ａの上部を適正に覆うことにより、物体の落下を防止し、作業者が足を踏み外すことがないため作業の安全性を向上することができる。
なお、上記図示説明した事例は貯槽１の内側に設けるブラケット構造の足場５であるが、貯槽の外壁面に設けるブラケット構造の足場の場合は、ブラケット固着部近傍に広い隙間を生じることとなるが、上記と同様に複数枚の覆板で形成した傾斜幅木で、側板壁面と足場板の間隔上部を適正に覆うことができる。
【００３５】
図７は、貯槽中心方向の足場上に設ける垂直幅木１２Ｂを示す側面説明図である。
垂直幅木１２Ｂは、二枚の帯板２０ａと２０ｂで形成し、長さ調整用の長穴２１とボルト・ナット等の固定部材２２によって伸縮連結構造に形成する。
【００３６】
図８は、垂直幅木１２Ｂの他の事例を示す。
垂直幅木１２Ｂは、二枚の帯板２０ｃと２０ｄ及び接続板２３で形成し、この接続板２３に長さ調整用の長穴２１を設ける。この長穴２１とボルト・ナット等の固定部材２２によって二枚の帯板２０ｃと２０ｄを接続し、垂直幅木１２Ｂを伸縮連結構造に形成する。
【００３７】
上記垂直幅木１２Ｂの帯板２０（２０ａ，２０ｂ，２０ｃ，２０ｄ）は、例えば長さ０．５〜１メートル程度、高さ１０〜２０センチメートル程度のアルミニウム合金や鋼製などの複数の帯板材で形成し、この帯板２０（２０ａ，２０ｂ，２０ｃ，２０ｄ）の端縁下部に垂直の差込みロッド１９を設ける。この帯板２０（２０ａ，２０ｂ，２０ｃ，２０ｄ）の端縁下部の差込みロッド１９を、取付受具１１のパイプ受部材１１ａ，１１ｂに差込んで取付ける。
【００３８】
このように垂直幅木１２Ｂを複数の帯板２０で伸縮連結構造に形成したので、間隔が一定でないブラケット６、６間であっても簡単に寸法調整して設置することができる。そして、足場板上のつま先板となるため作業者が足を踏み外すことなく、さらに物体が足場板上を転がって落下することもなくなる。
【００３９】
上記のように、足場板８の両側面、つまり両サイドに幅木１２、傾斜幅木１２Ａ、垂直幅木１２Ｂを設置しているので、安全作業で効率良く工事施工することができ、物の落下や人の踏み外しがなく安全性が確保される。
この幅木１２（１２Ａ，１２Ｂ）は、使用場所の条件に応じて、足場板の片側側面又は両側側面に、適宜選択して設置するようにしてもよい。
この発明に係る仮設用の足場部材は、大掛かりな仮設の枠組足場が要らないため、工事用足場の使用を低減することができ、コスト低減、工期短縮を図ることが可能となる。
【産業上の利用可能性】
【００４０】
この発明に係る貯槽用足場部材は、直立円筒形貯槽、球形貯槽など、種々の貯槽等の建築物について、壁面に直接取り付ける工事用のブラケット構造の足場に広範囲に適用することができる。
【符号の説明】
【００４１】
１  貯槽          
２  底板          
３  側板          
４  屋根          
５  足場          
６  ブラケット          
７  取付部材          
８  足場板          
９  手摺支柱          
１０  手摺本体          
１１  取付受具          
１１ａ，１１ｂ  パイプ受部材
１２  幅木          
１２Ａ  傾斜幅木，１２Ｂ  垂直幅木          
１３  連結部材          
１４  固定部材          
１５  棒状ロッド          
１６  円管部材          
１７  覆板          
１８  紐材          
１９  差込みロッド          
２０  帯板          
２１  長穴          
２２  固定部材          
２３  接続板          
【図２】
2011052374.tif 000003
【図３】
2011052374.tif 000004
【図５】
2011052374.tif 000005
【図６】
2011052374.tif 000006
【図７】
2011052374.tif 000007
【図８】
2011052374.tif 000008
【図９】
2011052374.tif 000009
【図１０】
2011052374.tif 000010
【図１１】
2011052374.tif 000011
【図１】
2011052374.tif 000012
【図４】
2011052374.tif 000013